(57)【要約】【課題】塵埃を効率よく取込むことができる吸込み口体を提供する。【解決手段】吸込み口体主部２０、回転清掃体２２、及び集塵カップ２４を備える。吸込み口体主部２０は、下面に集塵開口２８を有し、回転清掃体２２は集塵開口２８に臨んで配置されている。集塵カップ２４は、吸込み口体主部２０に設けられて、回転清掃体２２の回転により掻き上げられた被清掃面Ｆ上の塵埃を捕捉する。吸込み口体主部２０は、回転清掃体２２が掻き上げる塵埃を集塵開口２８の後側開口縁２８ａ集塵カップ２４に導く傾斜壁３２を有するとともに、この傾斜壁３２の表面と連続する表面を有して被清掃面Ｆと接するように延びるリップ部３３を有する。【選択図】　　図５
2004057365.tif 000002
【特許請求の範囲】
【請求項１】
下面に集塵開口を有する吸込み口体主部と、前記集塵開口に臨んで配置された回転清掃体と、前記吸込み口体主部に設けられて前記回転清掃体の回転により掻き上げられた被清掃面上の塵埃を捕捉する集塵部と、を備えており、
前記吸込み口体主部は、前記回転清掃体が掻き上げる塵埃を前記集塵開口の開口縁から前記集塵部に導く傾斜壁を有しているとともに、この傾斜壁の表面と連続する表面を有して前記被清掃面と接するように延びるリップ部を有している吸込み口体。
【請求項２】
前記リップ部は、前記回転清掃体の回転軌跡に沿うように傾斜して延びている請求項１に記載の吸込み口体。
【請求項３】
前記回転清掃体は、前記集塵開口の後側開口縁の下側から上側に向けて塵埃を掻き上げるように回転し、前記集塵開口の後側開口縁に前記リップ部が設けられている請求項１または２に記載の吸込み口体。
【請求項４】
吸込み口体主部に、この主部の集塵開口から集塵部を経て排気される気流を形成する送風部を内蔵した請求項１〜３の内のいずれか１項に記載の吸込み口体を備えている電気掃除機。
【発明の詳細な説明】
【０００１】
【発明の属する技術分野】
本発明は、被清掃面上の塵埃を取り込む吸込み口体、及び、この吸込み口体を備えた電気掃除機に関する。
【０００２】
【従来の技術】
電気掃除機に具備される吸込み口体には、通常の掃除機本体と同等に集塵室を備えて構成されたものがあり、吸込み口体主部、回転清掃体、集塵部、及び、回転清掃体を回転駆動させるモータ等を有する。
【０００３】
吸込み口体主部の下面には、塵埃を取り込む集塵開口が設けられている。吸込み口体主部の内部には、集塵開口の両端部に位置して一対の清掃体支持部が設けられている。回転清掃体は、その両端部を一対の支持部により回転自在に支持されて、集塵開口に臨んで配置されている。回転清掃体は、集塵開口の後側開口縁の下側から上側に向けて塵埃を掻き上げるように回転する。
【０００４】
回転清掃体を収納する収納室の上面には、第１連通口が設けられている。一方、中空状に形成された集塵部は、その下面に第２連通口が設けられている。集塵部は、第２連通口を吸込み口体主部の第１連通口と対向させるようにして、吸込み口体主部の上方に配置されている。すなわち、回転清掃体を収納する収納室と集塵部の内部とは、第１連通口及び第２連通口を介して連通している。
【０００５】
集塵開口の後側開口縁からは、吸込み口体主部の内部側に斜めに立ち上がるように形成された傾斜壁が設けられている。この傾斜壁は、集塵開口の後側開口縁と第１連通口とを繋いでいる。
【０００６】
また、吸込み口体主部には、傾斜壁と被清掃面との間を閉じるように帯状ブラシが取付けられている。この帯状ブラシの取付けには所定の大きさの幅が必要であるため、通常は、傾斜壁の下端部に溝を作って、この溝に帯状ブラシの上端部を嵌め込んで取付けている。
【０００７】
この吸込み口体では、回転清掃体の回転により、被清掃面上の塵埃を後方に掻き上げることで集塵する。つまり、掻き上げられた塵埃は、吸込み口体主部の傾斜壁に沿って導かれながら上方に移動し、第１連通口及び第２連通口を通過して集塵部で捕捉される。
【０００８】
【発明が解決しようとする課題】
ところで、従来の吸込み口体では、傾斜壁の下端部に溝を作って、この溝に帯状ブラシを取付けているため、傾斜部の表面と帯状ブラシの表面の境目に段差が生じる。このため、回転清掃体に掻き上げられた塵埃のうちの傾斜壁の下側に掻き出された塵埃は、傾斜部の表面と帯状ブラシの表面との境目の段差に引掛るので、傾斜壁に効率良く受け渡され難く、したがって、掻き出された塵埃が集塵室に捕捉されない場合がある。特に吸込力の作用がなく、あるいは、吸込力の作用が小さく、回転清掃体の掻き出す力に頼って集塵するものでは、このような問題が顕著である。
【０００９】
本発明が解決しようとする課題は、塵埃を効率よく取込むことができる吸込み口体、及び、この吸込み口体を備えた電気掃除機を得ることにある。
【００１０】
【課題を解決するための手段】
前記課題を解決するために、請求項１に係る発明の吸込み口体は、下面に集塵開口を有する吸込み口体主部に、回転清掃体が掻き上げる塵埃を集塵開口の開口縁から集塵部に導く傾斜壁、及び、この傾斜壁の表面と連続する表面を有して被清掃面と接するように延びるリップ部を設けている。
【００１１】
この吸込み口体によれば、回転清掃体の回転により掻き上げられた塵埃のうちの傾斜壁の下側に掻き出された塵埃を、リップ部の表面に沿わせて、この表面と実質的に段差なく上方に連続している傾斜壁の表面に沿って円滑に移動させて、集塵部に導くことができる。
【００１２】
【発明の実施の形態】
以下、図１〜図５を参照して本発明の第１実施形態を説明する。
【００１３】
この電気掃除機１ａは、例えばスティック型のものであり、操作部１０及び吸込み口体１５ａ等を備えている。
【００１４】
図１に示すように、操作部１０の一端部には、各種の手元操作スイッチ１１ａを有するハンドル１１が設けられている。また、この操作部１０には、コードリール収容部１２が設けられており、このコードリール収容部１２の内部に、先端部にプラグを有する電源コードを巻取り及び繰出し可能なコードリール（図示せず）が収容されている。この電気掃除機１ａは、この電源コードを介してＡＣ電源から電力が供給される。なお、コードリールを省略してバッテリーを搭載してもよい。また、コードリール収容部１２には、排気口１３が設けられている。操作部１０の他端部には、硬質な管からなる延長管１４が設けられている。操作部１０と延長管１４とは、伸縮可能に組み合わされて形成されている。
【００１５】
吸込み口体１５ａは、吸込み口体主部２０、回転清掃体２２、集塵部としての集塵カップ２４、連結管２６、及び、電動送風機６０等を備えている。
【００１６】
吸込み口体主部２０は、図１及び図２等に示すように、上面が開放するケース部２０ａと、このケース部２０ａを上側から被嵌するカバー部２０ｂとを備えている。
【００１７】
吸込み口体主部２０の上方、すなわち、カバー部２０ｂの上方には、図２に示すように、このカバー部２０ｂの前端に寄せて集塵カップ取付け部Ｓが設けられている。カバー部２０ｂには、図２及び図５に示すように、集塵カップ取付け部Ｓの前端部には第１連通口３１ａが設けられているとともに、集塵カップ取付け部Ｓの後端部には第３連通口３１ｂが設けられている。
【００１８】
一方、中空状に形成された集塵カップ２４は、図１及び図５に示すように、その下面の前端に位置して第２連通口２４ａが設けられているとともに、後端部に第４連通口２４ｂが設けられている。集塵カップ２４の第４連通口２４ｂには、図２及び図５に示すように、フィルタ２５が設けられている。集塵カップ２４は、第２連通口２４ａを吸込み口体主部２０の第１連通口３１ａと対向させるとともに、第４連通口２４ｂを吸込み口体主部２０の第３連通口３１ｂと対向させるようにして、集塵カップ取付け部Ｓ上に配置されて、カバー部２０ｂに取外し可能に取付けられている。すなわち、後述する回転清掃体２２を収容する第２収容部２１ｂと集塵カップ２４の内部とは、第１連通口３１ａ及び第２連通口２４ａを介して連通しているとともに、第１収容部２１ａと集塵カップ２４の内部とは、第３連通口３１ｂ、フィルタ２５、及び、第４連通口２４ｂを介して連通している。
【００１９】
ケース部２０ａは、図３に示すように、第１収容部２１ａと第２収容部２１ｂとを有している。第２収容部２１ｂには、集塵開口２８の両端部に位置して一対の清掃体支持部２９が収容されているとともに、第１収容部２１ａには、後端部に位置して連結管支持部３０が収容されている。
【００２０】
吸込み口体主部２０の下面、すなわち、ケース部２０ａの第２収容部２１ｂの下面には、図２〜図５に示すように、集塵開口２８が設けられている。この集塵開口２８は、第２収容部２１ｂの幅方向と略平行な細長い矩形状をなしている。
【００２１】
回転清掃体２２は、回転軸２３の両端部を前記清掃体支持部２９により回転自在に支持されて、集塵開口２８に臨んで第２収容部２１ｂに配置されている。この回転清掃体２２は、例えばブラシ毛が回転軸を中心として放射状に密に配置される清掃体や、軟質素材からなる１枚あるいは複数枚の羽根が回転軸を中心として例えば螺旋状に配置される清掃体等を好適に用いることができる。
【００２２】
回転清掃体２２の回転方向は、図５に矢印Ｘで示すように、紙面手前側から見て右回りである。すなわち、回転清掃体２２は、集塵開口２８の後側開口縁２８ａの下側から上側に向けて塵埃を掻き上げるように進行方向に対して順方向に回転する。
【００２３】
吸込み口体主部２０のケース部２０ａには、図４及び図５に示すように、回転清掃体２２が掻き上げる塵埃を集塵開口２８の後側開口縁２８ａから集塵カップ２４に導く傾斜壁３２、すなわち後側開口縁２８ａと第１連通口３１ａとを繋ぐ傾斜壁３２が形成されている。
【００２４】
また、吸込み口体主部２０は、図４及び図５に示すように、傾斜壁３２の表面と実質的に連続する表面を有して、被清掃面Ｆと接するように延びるリップ部３３を有している。このリップ部３３は、例えば、図５（Ａ）に示すように、回転清掃体２２の回転軌跡に沿うように傾斜をなして延びていてもよく、また、図５（Ｂ）に示すように、集塵開口２８に対して略直交するように延びていてもよい。ただし、塵埃をより効率良く上方に運ぶためには、リップ部３３は、図５（Ａ）に示すように、回転清掃体２２の回転軌跡に沿うように傾斜をなして延びているのが好ましい。
【００２５】
リップ部３３は、傾斜壁３２或いはケース部２０ａの下面の先端部等に接着剤等で取付けることができる。この取付けにより、リップ部３３の表面と傾斜壁３２の表面とは実質的に連続する、すなわち、リップ部３３に対して傾斜壁３２の下端が前方等にせり出すような段差をリップ部３３との間に作ることなく、リップ部３３を取付けることができる。また、リップ部３３は、このリップ部３３或いは傾斜壁３２に当たった塵埃が被清掃面Ｆ上にこぼれ落ちるのを抑制するために、被清掃面Ｆだけでなく回転清掃体２２とも軽微に接触するように取付けるのが好ましい。
【００２６】
連結管２６は、図３に示すように、その一端部が連結管支持部３０により回動自在に支持されており、他端部側が吸込み口体主部２０の外方に延出している。この連結管２６の他端部は、操作部１０の延長管１４の一端部と着脱自在に連結される。また、これらを連結することにより、操作部１０と吸込み口体１５ａとは電気的にも接続される。
【００２７】
電動送風機６０は、図３に示すように、ケース部２０ａの第１収容部２１ａに収容されている。この電動送風機６０はモータ６２と送風部６１とを有している。モータ６２は、送風部６１を回転駆動させて、集塵開口２８から集塵カップ２４を経て排気口１３から排気される気流を形成するとともに、回転清掃体２２を回転駆動させる。すなわち、この電気掃除機１ａでは、１つのモータ６２で、塵埃を吸込む気流を形成することができるとともに、回転清掃体２２を回転させることができる。また、モータ６２には、ベルトプーリ６３ａを有する回転軸６３が設けられている。
【００２８】
この吸込み口体１５ａでは、図３に示すように、モータ６２の回転軸６３に取付けられたベルトプーリ６３ａと回転清掃体２２の回転軸２３に取付けられたベルトプーリ２３ａとが一直線上に位置していない。そのため、ケース部２０ａの第２収容部２１ｂには、集塵開口２８に隣接して、ケース部２０ａの幅方向と略平行な回転軸３４が取付けられている。この回転軸３４の一端部にはモータ６２の回転軸６３に取付けられたベルトプーリ６３ａと一直線上となる位置にベルトプーリ３４ａが取付けられており、他端部には回転清掃体２２の回転軸２３に取付けられたベルトプーリ２３ａと一直線上となる位置にベルトプーリ３４ｂが取付けられている。そして、ベルトプーリ６３ａとベルトプーリ３４ａとの間にベルト３５を掛け渡すとともに、ベルトプーリ２３ａとベルトプーリ３４ｂとの間にベルト３６を掛け渡している。これにより、モータ６２の回転運動が、回転軸６３、ベルトプーリ６３ａ、ベルト３５、ベルトプーリ３４ａ、回転軸３４、ベルトプーリ３４ｂ、ベルト３６、ベルトプーリ２３ａ、回転軸２３の順で伝達されて、回転清掃体２２は回転軸２３を中心として回転する。
【００２９】
前記構成を備える電気掃除機１ａでは、以下のようにして被清掃面Ｆの清掃を行なう。
【００３０】
操作部１０のから電源コードを引き出して商用交流電源に接続し、ハンドル１１の手元操作スイッチ１１ａ、及び、モータ６２等に夫々電力を供給する。その後、手元操作スイッチ１１ａを操作してモータ６２を駆動させる。
【００３１】
モータ６２を駆動させると、集塵開口２８、ケース部２０ａの第２収容部２１ｂ、第１連通口３１ａ、第２連通口２４ａ、集塵カップ２４、第４連通口２４ｂ、フィルタ２５、第３連通口３１ｂを通って、第１収容部２１ａに収容された送風部６１に吸込まれる気流が形成される。同時に、回転清掃体２２が回転する。
【００３２】
ハンドル１１を操作して吸込み口体１５ａを被清掃面Ｆに接触させると、この被清掃面Ｆ上の塵埃は、回転清掃体２２の回転により後方に掻き上げられるとともに、電動送風機６０により形成される吸込み気流により集塵開口２８から空気とともに吸込み口体主部２０の内部に取り込まれる。吸込み口体主部２０の内部に取り込まれた塵埃は、傾斜壁３２或いはリップ部３３に当たり、回転清掃体２２の回転により得られた運動エネルギー及び電動送風機６０により形成される吸込み気流により、リップ部３３の表面及びこの表面と実質的に段差なく上方に連続している傾斜壁３２の表面に沿って円滑に移動し、集塵部２４に導かれてこの集塵カップ２４で捕捉される。
【００３３】
集塵カップ２４を通過した空気は、電動送風機６０に吸込まれてこの電動送風機６０から排出された後、吸込み口体１５ａ通気口Ｔ（図３参照）及び操作部１０を通過して、排気口１３から外部に排出される。以上により被清掃面Ｆを清掃できる。なお、集塵カップ２４で捕捉された塵埃は、集塵カップ２４を吸込み口体主部２０から取外して廃棄することができる。
【００３４】
上記のように、この吸込み口体１５ａによれば、吸込み口体主部２０が、傾斜壁３２の表面と連続する表面を有して被清掃面Ｆと接するように延びるリップ部３３を有しているため、回転清掃体２２の回転により掻き上げられた塵埃のうちの傾斜壁３２の下側に掻き出された塵埃を、集塵開口２８の真空度を確保するリップ部３３を利用して、このリップ部３３の表面に沿わせて、この表面と段差なく上方に連続している傾斜壁３２の表面に沿って円滑に移動させ、集塵部に導くことができる。したがって、塵埃を効率よく取込むことができる。
【００３５】
また、リップ部３３は、軟質素材により形成されているため、リップ部３３により被清掃面Ｆが傷つくのを抑制できる。しかし、リップ部３３は硬質素材で作ることもでき、また、被清掃面Ｆに近い先端部を少なくとも軟質素材として作ることもできる。
【００３６】
加えて、リップ部３３が回転清掃体２２のブラシ毛あるいは軟質の羽根の先端と接するように取付けられているため、傾斜壁３２上の塵埃が回転清掃体２２と傾斜壁３２との間から被清掃面Ｆ上にこぼれ落ちるのを抑制できる。これにより、集塵率を向上させることができる。
【００３７】
また、回転清掃体２２は、集塵開口２８の後側開口縁２８ａの下側から上側に向けて塵埃を掻き上げるように回転し、集塵開口２８の後側開口縁２８ａにリップ部３３が設けられているため、塵埃が回転清掃体２２によってこの回転清掃体２２の前方に運ばれるのを抑制できる。
【００３８】
したがって、この実施形態の電気掃除機１ａでは、塵埃を効率よく集塵カップ２４に捕捉できる電気掃除機が得られる。
【００３９】
なお、この実施形態では、吸込み口体１５ａを、電動送風機６０の動作により吸込んだ空気を排気口１３から排出するように形成しているが、吸込み口体１５ａは、電動送風機６０の動作により取り込んだ空気のうちの一部または全部を集塵開口２８と電動送風機６０との間で循環させるように形成することもできる。
【００４０】
以下、図６及び図７を参照して本発明の第２実施形態を説明する。
【００４１】
この電気掃除機１ｂは、例えばキャニスタ型のものであり、掃除機本体４０、吸込み口体１５ｂ、吸塵ホース５０、及び、延長管５２等を備えている。
【００４２】
掃除機本体４０の内部には、図示しないが送風室が設けられており、この送風室には塵埃を吸込む電動送風機４１が収容されている。なお、この送風室の吸込み上流側に位置して第２集塵部が設けられていてもよい。また、掃除機本体４０の内部には、先端部にプラグを有する電源コードを巻取り及び繰出し可能なコードリール（図示せず）が収容されている。この電気掃除機１ｂは、この電源コードを介してＡＣ電源から電力が供給される。なお、コードリールを省略してバッテリーを搭載させてもよい。
【００４３】
掃除機本体４０の外部両側面には、一対の移動車輪４３が枢支されている。この移動車輪４３及び掃除機本体４０の下面に取付けられた図示しない旋回輪により、掃除機本体４０は床面上を自在に移動できる。また、掃除機本体４０には、その前端面に開口される吸塵口部４０ａが設けられている。
【００４４】
吸塵ホース５０及び延長管５２は、掃除機本体４０と吸込み口体１５ｂとを連通するために用いられるものである。吸塵ホース５０は可撓性ホースからなり、その吸込み上流側の一端部には各種の手元操作スイッチ５１ａを有するハンドル５１が設けられている。延長管５２は、硬質な複数の管５２ａ，５３ｂを伸縮可能に組み合わせて形成されている。吸塵ホース５０及び延長管５２には、夫々その長手方向に沿う図示しない電線が配線されている。なお、この電線は吸塵ホース５０の伸縮及び可撓性を妨げない。
【００４５】
吸込み口体１５ｂは、図７に示すように、吸込み口体主部２０、回転清掃体２２、集塵部としての集塵カップ２４、連結管２６、及び、回転清掃体２２を回転駆動させるモータ６４等を備えている。すなわち、この吸込み口体１５ｂは、電動送風機６０を省略してモータ６４を備えている。なお、モータ６４のトルクは、第１実施形態のモータ６２のトルクよりも小さくすることができる。
【００４６】
モータ６４の一端部には、ベルトプーリ６５ａを有する回転軸６５が設けられている。また、図７に示すように、この吸込み口体１５ｂでは、モータ６４の回転軸６５に取付けられたベルトプーリ６５ａと回転清掃体２２の回転軸２３に取付けられたベルトプーリ２３ａとが一直線上に位置していない。そのため、ケース部２０ａの第２収容部２１ｂには、集塵開口２８に隣接して、ケース部２０ａの幅方向と略平行な回転軸３４が取付けられている。この回転軸３４の一端部にはモータ６４の回転軸６５に取付けられたベルトプーリ６５ａと一直線上となる位置にベルトプーリ３４ａが取付けられており、他端部には回転清掃体２２の回転軸２３に取付けられたベルトプーリ２３ａと一直線上となる位置にベルトプーリ３４ｂが取付けられている。そして、ベルトプーリ６５ａとベルトプーリ３４ａとの間にベルト３５を掛け渡すとともに、ベルトプーリ２３ａとベルトプーリ３４ｂとの間にベルト３６を掛け渡されている。これにより、モータ６４の回転運動が、回転軸６５、ベルトプーリ６５ａ、ベルト３５、ベルトプーリ３４ａ、回転軸３４、ベルトプーリ３４ｂ、ベルト３６、ベルトプーリ２３ａ、回転軸２３の順で伝達されて、回転清掃体２２は回転軸２３を中心として回転する。
【００４７】
この電気掃除機１ｂでは、吸込み口体１５ｂの連結管２６と延長管５２の一端部、延長管５２の他端部と吸塵ホース５０の一端部、及び、吸塵ホース５０の他端部と掃除機本体４０の吸塵口部４０ａが、夫々着脱自在に連結可能である。また、これらを連結することにより、各連結位置において電線同士が電気的に接続する。なお、他の構成は上述した第１の実施形態と同じであるから、重複する説明は図６及び図７に同符号を付して省略する。
【００４８】
前記構成を備える電気掃除機１ｂでは、以下のようにして被清掃面Ｆの清掃を行なう。
【００４９】
掃除機本体４０から電源コードを引き出して商用交流電源に接続し、電動送風機４１、ハンドル５１の手元操作スイッチ５１ａ、及び、モータ６４等に夫々電力を供給する。その後、手元操作スイッチ５１ａを操作して電動送風機４１を駆動させる。
【００５０】
電動送風機４１が駆動すると、集塵開口２８、ケース部２０ａの第２収容部２１ｂ、第１連通口３１ａ、第２連通口２４ａ、集塵カップ２４、第４連通口２４ｂ、フィルタ２５、第３連通口３１ｂ、ケース部２０ａの第２収容部２１ｂ、連結管２６、延長管５２、吸塵ホース５０を通って掃除機本体４０の内部に収容されたこの電動送風機４１に吸込まれる気流が形成される。
【００５１】
ハンドル５１を操作して吸込み口体１５ｂを被清掃面Ｆに接触させ、吸込み口体１５ｂの集塵開口２８から被清掃面Ｆの塵を空気とともに取り込んで、吸込み口体主部２０の内部に導き、この吸込み口体主部２０の内部と連通する集塵カップ２４で塵を捕捉する。集塵カップ２４を通過した空気は、電動送風機４１に吸込まれてこの電動送風機４１から排出された後、吸込み口体１５ｂの通気口Ｔ（図７参照）、延長管５２、及び、吸塵ホース５０を通過して、掃除機本体４０に設けた排気口（図示せず）から外部に排出される。
【００５２】
また、回転清掃体２２は、手元操作スイッチ５１ａを操作することで適宜動作させることができる。モータ６４により回転清掃体２２を回転駆動させると、被清掃面Ｆ上の塵埃は、回転清掃体２２の回転により後方に掻き上げられるとともに、電動送風機４１により形成される吸込み気流により集塵開口２８から空気とともに吸込み口体主部２０の内部に取り込まれる。吸込み口体主部２０の内部に取り込まれた塵埃は、傾斜壁３２或いはリップ部３３に当たり、回転清掃体２２の回転により得られた運動エネルギー及び電動送風機４１により形成される吸込み気流により、リップ部３３の表面及びこの表面と実質的に段差なく上方に連続している傾斜壁３２の表面に沿って円滑に移動し、集塵部２４に導かれてこの集塵カップ２４で捕捉される。
【００５３】
このように、この吸込み口体１５ｂは、電動送風機４１が設けられている電気掃除機１ｂに取付けて使用することができる。その場合、吸込み口体１５ｂは回転清掃体２２を回転駆動させることが可能なモータ６４を備えていればよく、電動送風機４１は省略することができる。
【００５４】
さらに、この実施形態では、図７に示す吸込み口体１５ｂを電動送風機４１の動作により空気を吸込んでこの電動送風機４１から排出する電気掃除機に適用しているが、図７に示す吸込み口体１５ｂは、電動送風機の動作により空気を吸込み、この取り込んだ空気のうちの一部または全部を再び電動送風機の動作により循環させる電気掃除機に適用することもできる。
【００５５】
また、上記第１及び第２の実施形態では、回転清掃体２２を集塵開口２８の後側開口縁２８ａの下側から上側に向けて塵埃を掻き上げるように回転するものとし、リップ部３３を集塵開口２８の後側開口縁２８ａに設けたが、回転清掃体２２を集塵開口２８の前側開口縁の下側から上側に向けて塵埃を掻き上げるように回転するものとし、リップ部３３を集塵開口２８の前側開口縁に設けてもよい。ただし、後者のようにすると被清掃面Ｆ上の塵埃を集塵開口２８の前方に運ぶおそれがあるため、前者のようにするのが好ましい。
【００５６】
上記第１及び第２の実施形態では、吸込み口体に回転清掃体を回転駆動するモータを設けているので、吸込み口体のみでも使用可能である。すなわち、集塵開口に電動送風機による吸込力が作用しなくても、回転清掃体による掻き出し作用のみで被掃除面上の塵埃を集塵室に捕捉することができる。
【００５７】
なお、上記第１及び第２の実施形態では、吸込み口体に回転清掃体を回転駆動するモータを設けたものについて説明したが、このモータを設けずに電動送風機の駆動による吸込気流によって回転清掃体を駆動するのようにしたものでもよい。
【００５８】
この発明の吸込み口体は、スティック型或いはキャニスタ型の電気掃除機だけでなく、種々の電気掃除機に取付けて使用することができる。
【００５９】
【発明の効果】
本発明によれば、塵埃を効率よく取込むことができる吸込み口体、及び、この吸込み口体を備えた電気掃除機が得られる。
【図面の簡単な説明】
【図１】本発明の第１実施形態に係る電気掃除機を示す斜視図。
【図２】図１の電気掃除機が備える吸込み口体を集塵カップを外して示す上面図。
【図３】図１の電気掃除機が備える吸込み口体をカバー部を外して示す上面図。
【図４】図１の電気掃除機が備える吸込み口体の前部をカバー部を取外して示す上面図。
【図５】（Ａ）（Ｂ）は図１の電気掃除機が備える吸込み口体の前部を夫々異なるリップ部を取付けた状態で示す断面図。
【図６】本発明の第２の実施形態に係る電気掃除機を示す斜視図。
【図７】図６の電気掃除機が備える吸込み口体をカバー部を外して示す上面図。
【符号の説明】
１ａ，１ｂ…電気掃除機
１０…操作部
１５ａ，１５ｂ…吸込み口体
２０…吸込み口体主部
２２…回転清掃体
２４…集塵部（集塵カップ）
２８…集塵開口
２８ａ…後側開口縁
３２…傾斜壁
３３ａ，３３ｂ…リップ部
６０…電動送風機
６１…送風部
６２，６４…モータ
Ｆ…被清掃面
【図１】
2004057365.tif 000003
【図２】
2004057365.tif 000004
【図３】
2004057365.tif 000005
【図４】
2004057365.tif 000006
【図５】
2004057365.tif 000007
【図６】
2004057365.tif 000008
【図７】
2004057365.tif 000009